【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
動画ストリームと、
データパケットと制御パケットとを含むディスプレイセットを、１以上含むグラフィクスストリームと、を取得する取得手段と、
前記動画ストリームをデコードして、動画像を得るビデオデコーダと、
前記データパケットに含まれるデコードタイムスタンプが示す時刻に達した場合に、前記データパケットに含まれるグラフィクスデータのデコードを開始し、
前記データパケットに含まれるプレゼンテーションタイムスタンプが示す時刻までに、前記グラフィクスデータのデコードを終了する、プロセッサと、
前記デコードされたグラフィクスデータを記憶するオブジェクトバッファと、
前記制御パケットに含まれるプレゼンテーションタイムスタンプが示す時刻に、前記オブジェクトバッファに記憶されている前記デコードされたグラフィクスデータを、前記動画像と合成させるためにグラフィクスプレーンの一部を示す矩形領域であるウインドウ内で描画し、
前記制御情報にエポックスタートのディスプレイセットである旨を示すタイプ情報が含まれている場合であって前記制御パケットに含まれているデコードタイムスタンプが示す時刻に到達したときには、前記オブジェクトバッファ及び前記グラフィクスプレーンをクリアする、コントローラと、
を備えることを特徴とする再生装置。
【請求項２】
動画ストリームと、
データパケットと制御パケットとを含むディスプレイセットを、１以上含むグラフィクスストリームと、を取得する取得ステップと、
前記動画ストリームをデコードして、動画像を得るステップと、
前記データパケットに含まれるデコードタイムスタンプが示す時刻に達した場合に、前記データパケットに含まれるグラフィクスデータのデコードを開始し、
前記データパケットに含まれるプレゼンテーションタイムスタンプが示す時刻までに、前記グラフィクスデータのデコードを終了する、ステップと、
前記デコードされたグラフィクスデータをオブジェクトバッファに記憶するステップと、
前記制御パケットに含まれるプレゼンテーションタイムスタンプが示す時刻に、前記オブジェクトバッファに記憶されている前記デコードされたグラフィクスデータを、前記動画像と合成させるためにグラフィクスプレーンの一部を示す矩形領域であるウインドウ内で描画し、
前記制御情報にメモリ管理の始まりである旨を示すタイプ情報が含まれている場合であって前記制御パケットに含まれているデコードタイムスタンプが示す時刻に到達したときには、前記オブジェクトバッファ及び前記グラフィクスプレーンをクリアする、ステップと、
を備えることを特徴とする再生方法。
【請求項３】
アプリケーションデータを作成する作成手段と、 
前記アプリケーションデータを記録媒体に記録する記録手段と、を備え、 
前記アプリケーションデータは、
動画ストリームと、
データパケットと制御パケットとを含むディスプレイセットを、１以上含むグラフィクスストリームと、
を含み、
前記動画ストリームは、再生装置のビデオデコーダでデコードされて、動画像となり、
前記データパケットに含まれるグラフィクスデータは、前記データパケットに含まれるデコードタイムスタンプが示す時刻に達した場合に、前記再生装置のプロセッサでデコードが開始され、
前記グラフィクスデータは、前記データパケットに含まれるプレゼンテーションタイムスタンプが示す時刻までに、前記プロセッサでデコードが終了されており、
前記デコードされたグラフィクスデータは、前記再生装置のオブジェクトバッファに記憶されており、
前記デコードされたグラフィクスデータは、前記制御パケットに含まれるプレゼンテーションタイムスタンプが示す時刻に、前記再生装置のコントローラによって、前記動画像と合成させるために前記再生装置のグラフィクスプレーンの一部を示す矩形領域であるウインドウ内で描画され、
前記制御情報にメモリ管理の始まりである旨を示すタイプ情報が含まれている場合であって前記制御パケットに含まれているデコードタイムスタンプが示す時刻に到達したときには、前記コントローラによって、前記オブジェクトバッファ及び前記グラフィクスプレーンはクリアされる、
ことを特徴とする記録装置。
【請求項４】
アプリケーションデータを作成するステップと、 
前記アプリケーションデータを記録媒体に記録するステップと、を有し、 
前記アプリケーションデータは、
動画ストリームと、
データパケットと制御パケットとを含むディスプレイセットを、１以上含むグラフィクスストリームと、
を含み、
前記動画ストリームは、再生装置のビデオデコーダでデコードされて、動画像となり、
前記データパケットに含まれるグラフィクスデータは、前記データパケットに含まれるデコードタイムスタンプが示す時刻に達した場合に、前記再生装置のプロセッサでデコードが開始され、
前記グラフィクスデータは、前記データパケットに含まれるプレゼンテーションタイムスタンプが示す時刻までに、前記プロセッサでデコードが終了されており、
前記デコードされたグラフィクスデータは、前記再生装置のオブジェクトバッファに記憶されており、
前記デコードされたグラフィクスデータは、前記制御パケットに含まれるプレゼンテーションタイムスタンプが示す時刻に、前記再生装置のコントローラによって、前記動画像と合成させるために前記再生装置のグラフィクスプレーンの一部を示す矩形領域であるウインドウ内で描画され、
前記制御情報にメモリ管理の始まりである旨を示すタイプ情報が含まれている場合であって前記制御パケットに含まれているデコードタイムスタンプが示す時刻に到達したときには、前記コントローラによって、前記オブジェクトバッファ及び前記グラフィクスプレーンはクリアされる、
ことを特徴とする記録方法。
【請求項５】
動画ストリームと、
データパケットと制御パケットとを含むディスプレイセットを、１以上含むグラフィクスストリームと、が記録されており、
前記動画ストリームは、再生装置のビデオデコーダでデコードされて、動画像となり、
前記データパケットに含まれるグラフィクスデータは、前記データパケットに含まれるデコードタイムスタンプが示す時刻に達した場合に、前記再生装置のプロセッサでデコードが開始され、
前記グラフィクスデータは、前記データパケットに含まれるプレゼンテーションタイムスタンプが示す時刻までに、前記プロセッサでデコードが終了されており、
前記デコードされたグラフィクスデータは、前記再生装置のオブジェクトバッファに記憶されており、
前記デコードされたグラフィクスデータは、前記制御パケットに含まれるプレゼンテーションタイムスタンプが示す時刻に、前記再生装置のコントローラによって、前記動画像と合成させるために前記再生装置のグラフィクスプレーンの一部を示す矩形領域であるウインドウ内で描画され、
前記制御情報にメモリ管理の始まりである旨を示すタイプ情報が含まれている場合であって前記制御パケットに含まれているデコードタイムスタンプが示す時刻に到達したときには、前記コントローラによって、前記オブジェクトバッファ及び前記グラフィクスプレーンはクリアされる、
ことを特徴とする記録媒体。
【手続補正２】
【補正対象書類名】明細書
【補正対象項目名】発明の名称
【補正方法】変更
【補正の内容】
【発明の名称】再生装置、再生方法、記録装置、記録方法、記録媒体
【手続補正３】
【補正対象書類名】明細書
【補正対象項目名】０００１
【補正方法】変更
【補正の内容】
【０００１】
BD-ROM等の記録媒体の再生装置に関し、グラフィクス表示により字幕表示や対話表示を実現する技術に関する。
【手続補正４】
【補正対象書類名】明細書
【補正対象項目名】０００４
【補正方法】変更
【補正の内容】
【０００４】
本発明の目的は、製造コストの高騰化を避けつつも、グラフィクス表示の高画質化を図ることができる再生装置を提供することである。
【手続補正５】
【補正対象書類名】明細書
【補正対象項目名】０００５
【補正方法】変更
【補正の内容】
【０００５】
上記目的を達成するため、本発明に係る再生装置は、動画ストリームと、データパケットと制御パケットとを含むディスプレイセットを、１以上含むグラフィクスストリームと、を取得する取得手段と、前記動画ストリームをデコードして、動画像を得るビデオデコーダと、前記データパケットに含まれるデコードタイムスタンプが示す時刻に達した場合に、前記データパケットに含まれるグラフィクスデータのデコードを開始し、前記データパケットに含まれるプレゼンテーションタイムスタンプが示す時刻までに、前記グラフィクスデータのデコードを終了する、プロセッサと、前記デコードされたグラフィクスデータを記憶するオブジェクトバッファと、前記制御パケットに含まれるプレゼンテーションタイムスタンプが示す時刻に、前記オブジェクトバッファに記憶されている前記デコードされたグラフィクスデータを、前記動画像と合成させるためにグラフィクスプレーンの一部を示す矩形領域であるウインドウ内で描画し、前記制御情報にエポックスタートのディスプレイセットである旨を示すタイプ情報が含まれている場合であって前記制御パケットに含まれているデコードタイムスタンプが示す時刻に到達したときには、前記オブジェクトバッファ及び前記グラフィクスプレーンをクリアする、コントローラと、を備えることを特徴としている。